(57)【要約】【課題】  装置の設定情報を複数の装置において同期させるために送信する際に、パスワード設定を含む場合は送信される設定情報の制限を行う。【解決手段】  配信元装置は、送信対象の設定情報にパスワードが設定されているかを判定し、パスワードが設定されていると判定された場合に、設定情報の一部または全体を送信対象から除外し、配信先装置へ送信する。【選択図】  図４
2006033470.tif 000002
【特許請求の範囲】
【請求項１】
画像データを記憶する第一の記憶領域と第二の記憶領域を有する記憶手段を備えた画像処理装置であって、
前記第一の記憶領域に係る設定を示す第一の設定情報と前記第二の記憶領域に係る設定を示す第二の設定情報を他の画像処理装置に対して送信する送信手段と、
前記第一の設定情報及び第二の設定情報にパスワード情報が含まれているか否かを判定する判定手段と、
を有し、
前記送信手段は、前記第一の設定情報にパスワード情報が含まれており、且つ前記第二の設定情報にパスワード情報が含まれていなかった場合、前記第一の設定情報を送信せず、前記第二の設定情報を送信することを特徴とする画像処理装置。
【請求項２】
画像データを記憶する第一の記憶領域と第二の記憶領域を有する記憶手段を備えた画像処理装置であって、
前記第一の記憶領域に係る設定を示す第一の設定情報と前記第二の記憶領域に係る設定を示す第二の設定情報を他の画像処理装置に対して送信する送信手段と、
前記第一の設定情報及び第二の設定情報にパスワード情報が含まれているか否かを判定する判定手段と、
を有し、
前記送信手段は、前記第一の設定情報にパスワード情報が含まれており、且つ前記第二の設定情報にパスワード情報が含まれていなかった場合、前記第一の設定情報のうちパスワード情報以外の設定情報と、前記第二の設定情報を送信することを特徴とする画像処理装置。
【請求項３】
画像データを記憶する第一の記憶領域と第二の記憶領域を有する記憶手段を備えた画像処理装置であって、
前記第一の記憶領域に係る設定を示す第一の設定情報と前記第二の記憶領域に係る設定を示す第二の設定情報を他の画像処理装置に対して送信する送信手段と、
前記第一の設定情報及び第二の設定情報にパスワード情報が含まれているか否かを判定する判定手段と、
前記第一の設定情報にパスワード情報が含まれていると判定されるのに応じて、当該第一の設定情報を他の画像処理装置に対して送信するか否かをユーザに問い合わせる問い合わせ手段と、
を有し、
前記問い合わせ手段による問い合わせの結果送信しないとユーザが指示し、尚且つ前記第二の設定情報にパスワード情報が含まれていなかった場合、前記送信手段は前記第一の設定情報を送信せず、前記第二の設定情報を送信することを特徴とする画像処理装置。
【請求項４】
ユーザが所望の処理を指示可能な操作手段を更に有し、
前記送信手段は、前記操作手段を用いてユーザから指示がされるのに応じて送信を行うことを特徴とする請求項１乃至３の何れかに記載の画像処理装置。
【請求項５】
所定の通信路を介して情報処理装置と通信可能な通信手段を更に有し、
前記送信手段は、前記通信手段から指示が入力されるのに応じて送信を行うことを特徴とする請求項１乃至３の何れかに記載の画像処理装置。
【請求項６】
前記判定手段によってパスワード情報が含まれると判定された場合、その結果をユーザに通知する通知手段を更に有することを特徴とする請求項１乃至５の何れかに記載の画像処理装置。
【請求項７】
画像データを記憶する第一の記憶領域と第二の記憶領域を有する記憶手段を備えた画像処理装置における画像処理方法であって、
前記第一の記憶領域に係る設定を示す第一の設定情報と前記第二の記憶領域に係る設定を示す第二の設定情報を他の画像処理装置に対して送信する送信ステップと、
前記第一の設定情報及び第二の設定情報にパスワード情報が含まれているか否かを判定する判定ステップと、
を有し、
前記送信ステップは、前記第一の設定情報にパスワード情報が含まれており、且つ前記第二の設定情報にパスワード情報が含まれていなかった場合、前記第一の設定情報を送信せず、前記第二の設定情報を送信することを特徴とする画像処理方法。
【請求項８】
画像データを記憶する第一の記憶領域と第二の記憶領域を有する記憶手段を備えた画像処理装置における画像処理方法であって、
前記第一の記憶領域に係る設定を示す第一の設定情報と前記第二の記憶領域に係る設定を示す第二の設定情報を他の画像処理装置に対して送信する送信ステップと、
前記第一の設定情報及び第二の設定情報にパスワード情報が含まれているか否かを判定する判定ステップと、
を有し、
前記送信ステップは、前記第一の設定情報にパスワード情報が含まれており、且つ前記第二の設定情報にパスワード情報が含まれていなかった場合、前記第一の設定情報のうちパスワード情報以外の設定情報と、前記第二の設定情報を送信することを特徴とする画像処理方法。
【請求項９】
画像データを記憶する第一の記憶領域と第二の記憶領域を有する記憶手段を備えた画像処理装置における画像処理方法であって、
前記第一の記憶領域に係る設定を示す第一の設定情報と前記第二の記憶領域に係る設定を示す第二の設定情報を他の画像処理装置に対して送信する送信ステップと、
前記第一の設定情報及び第二の設定情報にパスワード情報が含まれているか否かを判定する判定ステップと、
前記第一の設定情報にパスワード情報が含まれていると判定されるのに応じて、当該第一の設定情報を他の画像処理装置に対して送信するか否かをユーザに問い合わせる問い合わせステップと、
を有し、
前記問い合わせステップによる問い合わせの結果送信しないとユーザが指示し、尚且つ前記第二の設定情報にパスワード情報が含まれていなかった場合、前記送信ステップは前記第一の設定情報を送信せず、前記第二の設定情報を送信することを特徴とする画像処理方法。
【請求項１０】
前記画像処理装置は、ユーザが所望の処理を指示可能な操作手段を更に有し、
前記送信ステップは、前記操作手段を用いてユーザから指示がされるのに応じて送信を行うことを特徴とする請求項７乃至９の何れかに記載の画像処理方法。
【請求項１１】
前記画像処理装置は、所定の通信路を介して情報処理装置と通信可能な通信手段を更に有し、
前記送信ステップは、前記通信手段から指示が入力されるのに応じて送信を行うことを特徴とする請求項７乃至９の何れかに記載の画像処理方法。
【請求項１２】
前記判定ステップによってパスワード情報が含まれると判定された場合、その結果をユーザに通知する通知ステップを更に有することを特徴とする請求項７乃至１１の何れかに記載の画像処理装置。
【請求項１３】
画像データを記憶する第一の記憶領域と第二の記憶領域を有する記憶手段を備えた画像処理装置に以下のステップを実行させるプログラムであって、
前記第一の記憶領域に係る設定を示す第一の設定情報と前記第二の記憶領域に係る設定を示す第二の設定情報を他の画像処理装置に対して送信する送信ステップと、
前記第一の設定情報及び第二の設定情報にパスワード情報が含まれているか否かを判定する判定ステップと、
を有し、
前記送信ステップは、前記第一の設定情報にパスワード情報が含まれており、且つ前記第二の設定情報にパスワード情報が含まれていなかった場合、前記第一の設定情報を送信せず、前記第二の設定情報を送信することを特徴とするプログラム。
【請求項１４】
画像データを記憶する第一の記憶領域と第二の記憶領域を有する記憶手段を備えた画像処理装置に以下のステップを実行させるプログラムであって、
前記第一の記憶領域に係る設定を示す第一の設定情報と前記第二の記憶領域に係る設定を示す第二の設定情報を他の画像処理装置に対して送信する送信ステップと、
前記第一の設定情報及び第二の設定情報にパスワード情報が含まれているか否かを判定する判定ステップと、
を有し、
前記送信ステップは、前記第一の設定情報にパスワード情報が含まれており、且つ前記第二の設定情報にパスワード情報が含まれていなかった場合、前記第一の設定情報のうちパスワード情報以外の設定情報と、前記第二の設定情報を送信することを特徴とするプログラム。
【請求項１５】
画像データを記憶する第一の記憶領域と第二の記憶領域を有する記憶手段を備えた画像処理装置に以下のステップを実行させるプログラムであって、
前記第一の記憶領域に係る設定を示す第一の設定情報と前記第二の記憶領域に係る設定を示す第二の設定情報を他の画像処理装置に対して送信する送信ステップと、
前記第一の設定情報及び第二の設定情報にパスワード情報が含まれているか否かを判定する判定ステップと、
前記第一の設定情報にパスワード情報が含まれていると判定されるのに応じて、当該第一の設定情報を他の画像処理装置に対して送信するか否かをユーザに問い合わせる問い合わせステップと、
を有し、
前記問い合わせステップによる問い合わせの結果送信しないとユーザが指示し、尚且つ前記第二の設定情報にパスワード情報が含まれていなかった場合、前記送信ステップは前記第一の設定情報を送信せず、前記第二の設定情報を送信することを特徴とするプログラム。
【発明の詳細な説明】
【技術分野】
【０００１】
この発明は、画像処理装置の設定情報配信に関するものである。
【背景技術】
【０００２】
近年の画像処理装置の中には、記憶装置を用いたボックスと呼ばれる機能を持つ装置が多くなりつつある。ボックス機能は、大容量ハードディスク等の記憶装置を複数の領域に分けておき、領域ごとに画像データを蓄積し再利用可能とする機能であり、例えばスキャナで読み込んだ画像データやコンピュータから送った画像データをボックスに記憶させ、後から画像が記憶されているボックスを操作部から指定し、そのボックス内の画像データ一覧から目的の画像データを選択して、画像をプリント出力或いはＦＡＸやＥ−ｍａｉｌなどで外部へ送信することができる。
【０００３】
このようなボックス機能を備えた画像処理装置では、ボックス内の画像データに不特定多数のユーザがアクセスできないようにするために、ボックスにパスワードが設定できるようになっているものがある。これらのパスワード設定されたボックスに対する操作方法に係る技術がある（例えば特許文献１参照）。
【０００４】
一方、ユーザ環境において複数の装置の設定情報を同期させて管理コストを削減したいという要望を満たすため、画像処理送信装置の設定情報を複数の画像処理送信装置にわたって配布・記録するための様々な手段が提供されつつあり、近年では同期用の管理サーバは設置せずに特定の装置の設定情報を他の装置に配信する形態も見受けられつつある。
【特許文献１】特開２００３−８５１７９号公報
【発明の開示】
【発明が解決しようとする課題】
【０００５】
前記のようなパスワード設定可能なボックス機能の利用形態としては、大別すると個々のボックスにパスワードをつけずに複数ユーザで共用する場合と、パスワードをつけて個人用格納ボックスとして個人利用する二つがある。個人用ボックスは学校やオフィス内の居住フロアにある身近な画像処理装置のみで利用されるケースが多く、遠方の画像処理装置では利用しないことが多い。このため、設定情報の配信・記録機能によりボックス設定情報を配信してしまうと受信側の画像処理装置も同じユーザ用になってしまう。画像処理装置においてはボックスの数には上限が存在し、その数も多くはないため、前記のような場合においては、利用可能なユーザが限定されることになり、逆に利便性が落ちてしまうという問題が存在した。さらには、アクセス制限のためにパスワードで保護されている設定情報やパスワードそのものを配信してしまうことにつながり、セキュリティ上の観点でも好ましくないという問題も存在していた。セキュリティ面での問題としては、送信宛先情報でも同様であり、これらパスワード保護された設定情報を配信する際の設定項目を制限する仕組みが求められるようになっていた。
【課題を解決するための手段】
【０００６】
上記目的を達成するため、本発明に係る画像処理装置は画像データを記憶する第一の記憶領域と第二の記憶領域を有する記憶手段を備えた画像処理装置であって、前記第一の記憶領域に係る設定を示す第一の設定情報と前記第二の記憶領域に係る設定を示す第二の設定情報を他の画像処理装置に対して送信する送信手段と、前記第一の設定情報及び第二の設定情報にパスワード情報が含まれているか否かを判定する判定手段とを有し、前記送信手段は、前記第一の設定情報にパスワード情報が含まれており、且つ前記第二の設定情報にパスワード情報が含まれていなかった場合、前記第一の設定情報を送信せず、前記第二の設定情報を送信することを特徴とする。
【０００７】
また、上記目的を達成するため、本発明に係る画像処理装置は画像データを記憶する第一の記憶領域と第二の記憶領域を有する記憶手段を備えた画像処理装置であって、前記第一の記憶領域に係る設定を示す第一の設定情報と前記第二の記憶領域に係る設定を示す第二の設定情報を他の画像処理装置に対して送信する送信手段と、前記第一の設定情報及び第二の設定情報にパスワード情報が含まれているか否かを判定する判定手段とを有し、前記送信手段は、前記第一の設定情報にパスワード情報が含まれており、且つ前記第二の設定情報にパスワード情報が含まれていなかった場合、前記第一の設定情報のうちパスワード情報以外の設定情報と、前記第二の設定情報を送信することを特徴とする。
【０００８】
また、上記目的を達成するため、本発明の画像処理装置は画像データを記憶する第一の記憶領域と第二の記憶領域を有する記憶手段を備えた画像処理装置であって、前記第一の記憶領域に係る設定を示す第一の設定情報と前記第二の記憶領域に係る設定を示す第二の設定情報を他の画像処理装置に対して送信する送信手段と、前記第一の設定情報及び第二の設定情報にパスワード情報が含まれているか否かを判定する判定手段と、前記第一の設定情報にパスワード情報が含まれていると判定されるのに応じて、当該第一の設定情報を他の画像処理装置に対して送信するか否かをユーザに問い合わせる問い合わせ手段とを有し、前記問い合わせ手段による問い合わせの結果送信しないとユーザが指示し、尚且つ前記第二の設定情報にパスワード情報が含まれていなかった場合、前記送信手段は前記第一の設定情報を送信せず、前記第二の設定情報を送信することを特徴とする。
【発明の効果】
【０００９】
本発明によれば、配信元装置である複写機においてパスワード設定がなされているボックスについては、そのボックス設定情報をむやみに配信されてしまうことを防ぐことができるので、ユーザにとってより使い勝手のよいボックス設定情報配信システムを提供することができる。
【発明を実施するための最良の形態】
【００１０】
（実施例１）
以下に実施例１を示す。
【００１１】
図１は、実施例１における、画像処理装置が利用される一般的なシステム構成図である。
【００１２】
複写機１００１、複写機１００２は原稿を読み取り、さまざまな装置に送信する装置である。ファクシミリ１００３は複写機１００１の複写機が読み取ったデータを、公衆回線１００９を介して受信しプリントするファクシミリ装置である。データベース／メールサーバ１００４は複写機１００１、複写機１００２が読み取ったデータを格納するアプリケーションサーバが動作しているコンピュータである。クライアントコンピュータ１００５はデータベースサーバ／メールサーバ１００４に接続し、格納されているデータをダウンロードして表示するコンピュータである。プリンタ１００６は複写機１００１、複写機１００２が読み取ったイメージデータやクライアントコンピュータ１００５が生成するＰＤＬデータを印刷する印刷装置である。ディレクトリサーバ１００７は名前や電子メールアドレスやファクス番号などの様々なディレクトリ情報が格納されており、複写機１００１、複写機１００２やクライアントコンピュータ１００５はＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）などのプロトコルにより、これらのディレクトリ情報にアクセスすることが可能である。イーサネット（登録商標）１００８は、複写機１００１、複写機１００２、データベース／メールサーバ１００４，クライアントコンピュータ１００５、プリンタ１００６，ディレクトリサーバ１００７が接続されるネットワークである。
【００１３】
実施例１では、イーサネット（登録商標）１００８を利用し、クライアントコンピュータ１００５を介さずに複写機１００１から複写機１００２へ設定情報を配信する形態（Ｐｕｓｈ型）として説明を行うが、複写機１００２が複写機１００１から設定情報を取得する形態（ｐｕｌｌ型）であてもかまわない。あるいは、クライアントコンピュータ１００５から複写機１００１へアクセスすることにより設定情報をダウンロードし、その後にクライアントコンピュータ１００５から複写機１００２へ対してアップロードを行うような構成であっても構わない。このときの接続媒体については双方向通信可能なものであればいずれでも構わず、その接続媒体上において複写機１００１、複写機１００２、クライアントコンピュータ１００５の相互間においてデータ送受信に使用されるプロトコルもＨＴＴＰ（Ｈｙｐｅｒ  Ｔｅｘｔ  Ｔｒａｎｓｆｅｒ  Ｐｒｏｔｏｃｏｌ）、ＳＯＡＰ（Ｓｉｍｐｌｅ  Ｏｂｊｅｃｔ  Ａｃｃｅｓｓ  Ｐｒｏｔｏｃｏｌ）、ＦＴＰ（Ｆｉｌｅ  Ｔｒａｎｓｆｅｒ  Ｐｒｏｔｏｃｏｌ）など既存のプロトコルのいずれでも構わず、まったく独自のアプリケーションプロトコルであっても構わない。
【００１４】
図２は、実施例１における、システムブロック図であり、複写機１００１、複写機１００２に実装される。
【００１５】
Ｃｏｎｔｒｏｌｌｅｒ  Ｕｎｉｔ  ２０００は画像入力デバイスであるＳｃａｎｎｅｒ２０７０や画像出力デバイスであるＰｒｉｎｔｅｒ２０９５と接続し、一方ではＬＡＮ２０１１や公衆回線（ＷＡＮ）２０５１接続することで、画像情報やデバイス情報の入出力を行う為のコントローラである。ＣＰＵ２００１はシステム全体を制御するコントローラである。ＲＡＭ２００２はＣＰＵ２００２が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００６はタッチパネルを有した操作部（ＵＩ）２０１２とのインターフェース部で、操作部２０１２に表示する画像データを操作部２０１２に対して出力する。また、操作部２０１２から本システム使用者が入力した情報を、ＣＰＵ２００１に伝える役割をする。Ｎｅｔｗｏｒｋ  Ｉ／Ｆ２０１０はＬＡＮ２０１１に接続し、情報の入出力を行う。Ｍｏｄｅｍ２０５０は公衆回線２０５１に接続し、情報の入出力を行う。以上のデバイスがシステムバス２００７上に配置される。Ｉｍａｇｅ  Ｂｕｓ  Ｉ／Ｆ２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。ラスターイメージプロセッサ（ＲＩＰ）２０６０はＰＤＬコードをビットマップイメージに展開する。デバイスＩ／Ｆ部２０２０は、画像入出力デバイスであるスキャナ２０７０やプリンタ２０９５とコントローラ２０００を接続し、画像データの同期系／非同期系の変換を行う。スキャナ画像処理部２０８０は、入力画像データに対し補正、加工、編集を行う。プリンタ画像処理部は、プリント出力画像データに対して、プリンタの補正、解像度変換等を行う。画像回転部２０３０は画像データの回転を行う。画像圧縮部２０４０は、多値画像データはＪＰＥＧ、２値画像データはＪＢＩＧ、ＭＭＲ、ＭＨの圧縮伸張処理を行う。ＩＣ  Ｃａｒｄ  Ｓｌｏｔ２１００はＩＣカードメディアを挿入した後に適切なＰＩＮ（Ｐｅｒｓｏｎａｌ  Ｉｄｅｎｔｉｆｉｅｒ  Ｎｕｍｂｅｒ）コードを入力することにより、暗号・復号に用いる鍵の入出力を行うことが可能となる。暗号・復号処理部２１１０はＩＣ  Ｃａｒｄ  Ｓｌｏｔ２１００の鍵を用いてデータの暗号化・複合化処理を行うハードウェアアクセラレータボードである。
【００１６】
図３は、実施例１における複写機１００１、複写機１００２のボックス設定情報の一例である。
【００１７】
ボックス設定情報は、大きく分けて、複数のボックス全体に共通する設定に関するボックス共通設定（３０１）と、各ボックス毎のボックス設定に関するボックス毎設定（３０２）の二つから成る。本実施例では、ボックス番号００〜９９までの計１００個のボックスを各複写機１００１、１００２は有している。そしてこれら複数のボックスを例えばユーザ個人単位またはグループ単位で利用することができる。ここで、前記ボックス共通設定とは１００個のボックス全てに共通する設定のことであり、例えばボックス共通設定項目の例として「印画紙写真モード」がある。「印画紙写真モード」がＯＮに設定されている場合には、ボックスに格納する画像データの画質を選択して読み込むときに、「印刷写真」「印画紙写真」の選択をすることができるようになる。図３の例ではこの「印画紙写真モード」がＯＮに設定されている場合を示している。
【００１８】
ボックス毎設定では、１００個のボックスのうちのそれぞれのボックスについての設定を示す。３０３、３０４、３０５はそれぞれボックス番号００番、０１番、９９番についてのボックス毎設定の例を示している。ボックス毎設定の設定項目として、「ボックス名称」「パスワード」「文書自動消去時間」がある。「ボックス名称」には、ユーザがボックスを識別しやすくするために任意の名称を設定可能である。「パスワード」は、ボックス内の画像データに不特定多数のユーザがアクセスするのを回避するために設定可能である。「文書自動消去時間」は、ボックス内に格納された画像データを所定時間経過後に消去する時間を設定するものである。
【００１９】
これらボックス共通設定及びボックス毎設定の情報は、複写機１００１、複写機１００２それぞれのＨＤＤ２００４に記録されており、操作部２００４やＮｅｔｗｏｒｋ  Ｉ／Ｆ２０１０によりネットワーク接続されたコンピュータで参照、変更することが可能である。尚、本実施例では、ボックスの数を１００個としたがそれ以上でもそれ以下でもよい。また、上記設定項目以外の設定項目を設定可能にしてもよい。
【００２０】
本実施例では、図３を用いて説明したボックス設定情報を複数の複写機において同期させるべく、他の複写機に配信することができる。例えば複写機１００１のボックス設定情報を複写機１００２にサーバ等を介さずに直接配信し、複写機１００１と複写機１００２のボックス設定情報を統一することができる。
【００２１】
図４は、ボックス設定情報配信処理の流れを示すフローチャートである。この処理は複写機の操作部２０１２を用いてユーザにより所定の指示がなされるか、又はＮｅｔｗｏｒｋ  Ｉ／Ｆ２０１０によりネットワーク接続されたコンピュータを用いてユーザにより遠隔から所定の指示がなされることに応じて実行される。
【００２２】
まず、Ｓ４０１において、配信除外ボックスフラグを初期化する。これはその後の配信処理のための初期化処理の一つである。Ｓ４０２に進み、ボックス設定情報のうち「ボックス共通設定情報」を他の複写機に対して配信する配信情報として登録する。図３の例では、ボックス共通設定情報として「印画紙写真モードがＯＮ」という情報が配信情報として登録される。
【００２３】
次に各ボックス毎の設定情報の配信を行う。ボックス毎設定情報をボックス番号００番から９９番まで順に参照するためにＳ４０３において参照するボックス番号Ｎを００に設定する。Ｓ４０４ではボックス番号Ｎが９９より大きいかどうかを判定する。つまりＳ４０４では、全てのボックス情報を参照したかどうかを判断しており、ボックスの数が５０であればここで５０より大きいかどうかを判定することになる。
【００２４】
Ｓ４０４での判定の結果ＮＯである場合、つまり現在参照するボックス番号が９９以下である場合、Ｓ４０８に進み、該当する番号のボックス設定情報を読み込む。例えば図３においてボックス番号Ｎが００番のボックス設定情報が読み込まれた場合には、「ボックス番号＝００」「ボックス名称＝共用」「パスワード＝なし」「文書自動消去時間＝２４時間」といった情報が読み込まれる。次にＳ４０９に進み、Ｓ４０８において読み込んだボックス設定情報を参照しパスワードが設定されているかどうかを判定する。パスワード設定がある場合、Ｓ４１０に進み配信除外ボックスフラグ有りに設定し、Ｓ４１２へと進む。パスワード設定がない場合にはＳ４１１に進みＳ４０８で読み込んだ情報を配信情報として登録し、Ｓ４１２へと進む。
【００２５】
Ｓ４１２では、ボックス番号ＮにＮ＋１を格納し、再びＳ４０４へと進む。つまりボックス番号Ｎが９９より大きくなるまで（Ｓ４０４においてＹＥＳとなるまで）、Ｓ４０８からＳ４１２の処理を繰り返し、結果として全てのボックスについて設定情報が参照されることになる。
【００２６】
Ｓ０４においてＮが９９より大きいつまり全てのボックスを参照したと判断された場合には、Ｓ４０５に進み、配信除外ボックスフラグがあるかどうかを判断する。配信除外ボックスフラグがあると判断された場合はＳ４０６に進み、その旨をユーザに通知する。つまりボックス毎設定情報の配信を行わないボックスがあること（又はそのボックス番号）を通知する。
【００２７】
配信除外ボックスフラグがない場合、又はあった場合にその旨ユーザに通知後、Ｓ４０７へと進む。Ｓ４０７では他の複写機に配信するとして登録された配信情報を他の複写機に対して配信する。ここで送られる情報は具体的には「ボックス共通設定情報」と、パスワードの設定がない「ボックス毎設定情報」である。
【００２８】
図５は、実施例１における配信元装置となる複写機１００１と、配信先装置となる複写機１００２の設定情報の配信処理実行前の状態の一例である。
【００２９】
該状態において、ユーザは配信元装置である複写機１００１の操作部２００４または複写機１００１のＮｅｔｗｏｒｋ  Ｉ／Ｆ２０１０によりネットワーク接続されたコンピュータを用いてボックス設定情報配信処理の指示を行うことによって図４のフローチャートで示される処理が実行される。
【００３０】
図６は、実施例１における配信元装置となる複写機１００１と、配信先装置となる複写機１００２の設定情報の配信処理実行後の状態の一例である。
【００３１】
図５に示すように、配信元装置である複写機１００１において、ボックス番号００番にはパスワードが設定されておらず、一方ボックス番号０１番、９９番にはパスワードが設定されている。これにより、ボックス番号００番のボックス設定情報は配信され、ボックス番号０１番、９９番のボックス設定情報は配信されないことになる。その結果配信先装置である複写機１００２は複写機１００１からのボックス設定情報の配信を受け、図６の６０２に示されるように自身のボックス設定情報が変更される。つまり、「ボックス共通設定情報」である印画紙写真モードはＯＦＦからＯＮに変更され、ボックス番号００番の「ボックス毎設定情報」であるボックス名称が共用に変更され、文書自動消去時間が２４時間に変更される。
【００３２】
図５及び図６の例では、配信先装置である複写機１００２のボックス設定にデフォルト設定がされている場合を示しているが、場合によっては配信先装置である複写機１００２のボックスが何れかのユーザによって現在使用されている場合も考えられる。つまり、配信先装置である複写機１００２のボックスにおいてもパスワード等が設定される場合が考えられる。
【００３３】
図７は、配信先装置である複写機１００２において、複写機１００１から配信されたボックス設定情報を受信し、自身のボックス設定情報を更新する際の更新処理の動作を示すフローチャートである。
【００３４】
図７のフローチャートを用いて、配信先装置におけるボックス設定情報の更新処理について説明する。
【００３５】
まず、Ｓ７０１において、配信元装置である複写機１００１から送信された配信情報を受信する。
【００３６】
Ｓ７０２に進み、受信したボックス設定情報のうち「ボックス共通設定情報」を取り出し、自身のボックス共通設定情報を更新する。
【００３７】
その後、Ｓ７０３以降は、受信したボックス設定情報のうちの「ボックス共通設定情報」以外の情報である「ボックス毎設定情報」の更新処理を行う。尚ここで、配信された「ボックス毎設定情報」は、送信元装置においてパスワード設定がないボックスに関するボックス毎設定情報である。
【００３８】
まず、Ｓ７０３において、ボックス番号Ｎを００に設定する。Ｓ７０４に進み、Ｎが９９より大きいかどうかを判断する。つまりここで、自身が有するボックスの最後（本実施例ではボックス番号の最大値は９９としている）まで確認したかどうかを判断している。
【００３９】
Ｓ７０４においてＮＯと判定された場合にはＳ７０５に進み、自身が有するボックスのうちボックス番号Ｎ番のボックスについてのボックス毎設定情報を読み込む。Ｓ７０６に進み、読み込まれたボックス設定情報がパスワードを含んでいるかどうかを判定する。つまり、Ｎ番のボックスにパスワードが設定されているかどうかを判定する。その結果パスワードが設定されていない場合にはＳ７０７に進む。Ｓ７０７では、読み込まれたボックス番号に該当する番号の「ボックス毎設定情報」を、前記受信したボックス設定情報の中からピックアップし、自身のボックス毎設定情報を更新する。
【００４０】
Ｓ７０６においてＹＥＳと判定された場合、つまりＳ７０５で読み込まれたＮ番のボックスにパスワードが設定されていた場合、その番号に該当する番号の「ボックス毎設定情報」を、前記受信したボックス設定情報の中からピックアップし、この情報を削除する。その後Ｓ７０９に進みボックス番号ＮにＮ＋１を格納し再びＳ７０４に戻る。
【００４１】
このようにして、自身が有するボックス一つ一つについて、パスワードが設定されているかどうかを判定し、パスワードが設定されていなければ、その番号のボックスに関しては受信したボックス毎設定情報に更新し、パスワードが設定されていた場合には、その番号のボックスに関しては受信したボックス毎設定情報を破棄する。
【００４２】
Ｓ７０４においてＹＥＳ、つまり全てのボックスについて更新処理が終了した場合にはＳ７１０に進み、操作部２０１２の操作パネル上に表示するなどして更新処理の終了をユーザに通知する。
【００４３】
図８は、実施例１における配信元装置となる複写機１００１と、配信先装置となる複写機１００２の設定情報の配信処理実行後の状態の一例である。
【００４４】
図６で示した例と異なるのは、配信先装置である複写機１００２のボックスにパスワードが設定されているボックスが存在する点である。図７のフローチャートを用いて前述したように、パスワードが設定されているボックスに関してはボックス設定情報が配信されてきても更新処理を行わない。つまり複写機１００２のボックス番号００番のボックスに関して該ボックスにパスワードが設定されているため、更新処理を行っていない。結果的に、複写機１００１から複写機１００２に対してボックス設定情報を配信すると、夫々のボックスにパスワードが設定されていないボックス番号のボックス設定情報とボックス共通設定情報が複写機１００１、１００２間で同期されることになる。
【００４５】
以上説明したように、実施例１によれば複数の複写機のボックス設定情報を同期させるべく、サーバ等の外部装置を介さずに、直接他の複写機に対して自身のボックス設定情報を配信することができる。さらに、このとき配信元装置である複写機においてパスワード設定がなされているボックスについては、そのボックス設定情報をむやみに配信されてしまうことを防ぐことができるので、ユーザにとってより使い勝手のよいボックス設定情報配信システムを提供することができる。一方配信先装置である複写機においてパスワード設定がなされているボックスについても、勝手にボックス設定情報が更新されてしまうことがなく、ユーザにとって使い勝手のよいボックス設定情報配信システムを提供することができる。
【００４６】
（実施例２）
以下に実施例２を示す。
【００４７】
実施例２の基本的なシステム構成図、および基本的なシステムブロック図、およびボックス設定情報の例、および配信処理実行前の状態の一例は、それぞれ、実施例１の図１、図２、図３、図５と同様であるので詳細は省略する。
【００４８】
実施例１では、配信対象のボックス設定情報にパスワードが設定されている場合には、該ボックスに関するボックス設定情報を配信対象から除外する方法であった。しかし、場合によってはパスワード以外のボックス設定情報である例えばボックス名称、文書自動消去時間等に関しては、配信したいといった場合も考えられる。
【００４９】
そこで実施例２では、配信対象のボックス設定情報にパスワードが設定されている場合に、該ボックスに関するボックス設定情報のうち、パスワード情報以外のボックス設定情報については配信対象とし、オア巣ワード情報のみを配信対象から除外するものである。
【００５０】
以下、図９を用いて実施例２におけるボックス設定情報配信処理を説明する。
【００５１】
Ｓ９０１からＳ９０４までの処理は、それぞれ図４のＳ４０１からＳ４０４までの処理と同様であるので説明を省略する。
【００５２】
Ｓ９０４での判定の結果ＮＯである場合、つまり現在参照するボックス番号が９９以下である場合、Ｓ９０８に進み、該当する番号のボックス設定情報を読み込む。次にＳ９０９に進み、Ｓ９０８において読み込んだボックス設定情報を参照しパスワードが設定されているかどうかを判定する。パスワード設定がある場合、Ｓ９１０に進み、該当するボックス番号のボックス設定情報のうちパスワードに関する情報以外の設定情報を配信情報として登録する。その後Ｓ９１１において配信除外ボックスフラグを有りに設定しＳ９１３に進む。
【００５３】
Ｓ９０９の判定の結果、パスワード設定がない場合にはＳ９１２に進み、Ｓ９０８で読み込んだ情報を配信情報として登録し、Ｓ９１３に進む。
【００５４】
Ｓ９１３では、ボックス番号ＮにＮ＋１を格納し、再びＳ９０４へと進む。つまりボックス番号Ｎが９９より大きくなるまで（Ｓ９０４においてＹＥＳとなるまで）、Ｓ９０８からＳ９１３の処理を繰り返し、結果として全てのボックスについて設定情報が参照されることになる。
【００５５】
Ｓ９０４においてＮが９９より大きいつまり全てのボックスを参照したと判断された場合には、Ｓ９０５に進み、配信除外ボックスフラグがあるかどうかを判断する。配信除外ボックスフラグがあると判断された場合はＳ９０６に進み、その旨をユーザに通知する。つまりパスワード情報を配信しないボックスがあること（又はそのボックス番号）を通知する。
【００５６】
配信除外ボックスフラグがない場合、又はあった場合にその旨ユーザに通知後、Ｓ９０７へと進む。Ｓ９０７では他の複写機に配信するとして登録された配信情報を他の複写機に対して配信する。ここで送られる情報は具体的には「ボックス共通設定情報」と、パスワードの設定がない「ボックス毎設定情報」と、パスワードの設定があるボックス番号の「パスワード情報以外のボックス毎設定情報」である。
【００５７】
図１０は、実施例２における配信元装置となる複写機１００１と、配信先装置となる複写機１００２の設定情報の配信処理実行後の状態の一例である。
【００５８】
図５の状態から、図９のフローチャートを実行することにより、配信元装置となる複写機１００１からはパスワードが設定されていないボックス００についてはパスワード毎設定情報の全てが配信され、パスワード設定されているボックス０１とボックス９９についてはパスワード情報以外のボックス毎設定情報が配信される。これを受けて、配信先装置となる複写機１００２のボックス設定情報は、ボックス００については全てのボックス毎設定情報が変更され、ボックス０１とボックス９９の設定情報はパスワード情報以外のボックス毎設定情報が変更される。
【００５９】
以上説明したように、実施例２によれば、パスワードが設定されているボックスについて、パスワード以外のボックス設定情報である例えばボックス名称、文書自動消去時間等に関しては送信することが可能となる。
【００６０】
（実施例３）
以下に実施例３を示す。
【００６１】
実施例３の基本的なシステム構成図、および基本的なシステムブロック図、およびボックス設定情報の例、および配信処理実行前の状態の一例は、それぞれ、実施例１の図１、図２、図３、図５と同様であるので詳細は省略する。
【００６２】
実施例１及び実施例２では、配信対象のボックス設定情報にパスワードが設定されている場合に、該ボックスに関するボックス設定情報を配信対象から除外する方法、またはパスワード情報のみを配信対象から除外する方法であった。
【００６３】
しかし、場合によっては、たとえ配信対象のボックス設定情報にパスワードが設定されていたとしても、複写機間でのボックス設定情報の同期をとるために該パスワード設定されているボックスに係るボックス設定情報も全て送信したいといった場合も考えられる。
【００６４】
そこで実施例３では、配信対象のボックス設定情報にパスワードが設定されている場合に、該ボックスに関するボックス設定情報を配信対象とするか否かをユーザが選択可能とするものである。
【００６５】
以下、図１１を用いて実施例３におけるボックス設定情報配信処理を説明する。
【００６６】
実施例１において、ボックス設定情報配信処理を説明した図４と基本的に同じ流れであり、同様の処理を行うステップについては説明を省略し、実施例１と異なるステップについて説明する。
【００６７】
まずＳ１１０１においてパスワード付きボックスフラグを無しに初期化する。これは図４におけるＳ４０１での配信除外ボックスフラグ無しに初期化する処理とほぼ同様の処理であるが、実施例３の処理では、パスワードが設定されているボックスのボックス毎設定情報を自動的に配信情報から除外するのではないので、各ボックスにパスワード設定がなされているか否かについてのみまずチェックを行う点が異なっている。
【００６８】
Ｓ１１１１において、対象としているボックスにパスワードが設定されていると判定されれば、このパスワード付きボックスフラグを有りに設定する。
【００６９】
図４の処理と同様にして、自身のボックス全てについてパスワード設定がなされているか否かの判定が終了すると（Ｓ１１０４の判定がＹＥＳとなると）、Ｓ１１０５に進む。
【００７０】
Ｓ１１０５では、パスワード付きボックスフラグがありか否かを判定する。その結果ＮＯと判定された場合には、Ｓ１１０９に進み、配信情報として登録されているボックス設定情報を配信する。つまりこの場合は、ボックス共通設定情報とすべてのボックスに対応するボックス毎設定情報が配信されることになる。
【００７１】
Ｓ１１０５の判定の結果ＹＥＳであった場合、つまりパスワード設定がなされているボックスがあった場合、Ｓ１１０６に進み、その旨をユーザに通知する。通知する方法として操作部２０１２の表示パネルや、Ｎｅｔｗｏｒｋ  Ｉ／Ｆ２０１０によりネットワーク接続されたコンピュータのディスプレイ上に表示する方法が考えられる。図１２は、このときの表示例を示すものである。図１２に示すように、現在操作中の複写機の操作部２０１２の表示パネル、又はＮｅｔｗｏｒｋ  Ｉ／Ｆ２０１０によりネットワーク接続されたコンピュータのディスプレイ上表示し、パスワード設定されているボックスに関するボックス毎設定情報を配信情報としてよいかどうかをユーザに選択させる。尚、図１２に示す表示例では、配信するか否かを選択させるものであるが、例えばパスワード設定されているボックスが複数あった場合などには、あるボックスについては配信し、あるボックスについては配信させないなど、各ボックス毎にボックス毎設定情報を配信するか否かを選択できるようにしたものでもよい。この様にすればユーザはボックス設定情報の配信に関してより細かい設定が可能となる。
【００７２】
Ｓ１１０７では、ユーザからパスワード設定されているボックスに関するボックス毎設定情報を配信情報とする指示があったか否かを判定する。
【００７３】
配信する旨の指示があった場合にはＳ１１０８に進み、パスワード設定されているボックスに関するボックス毎設定情報を配信情報として登録する。ボックス毎に配信するかどうかを設定できる場合であれば、配信すると指示があったボックスに関するボックス毎設定情報を配信情報として登録する。
【００７４】
Ｓ１１０７の判定の結果ＮＯであった場合、つまりパスワード設定されているボックスに関するボックス毎設定情報を配信情報としないと指示された場合、又はＳ１１０８の処理が終了するとＳ１１０９に進み、配信情報として登録されているボックス設定情報の配信を行う。
【００７５】
以上説明したように、実施例３によれば、配信対象のボックス設定情報にパスワードが設定されている場合に、該ボックスに関するボックス設定情報を配信対象とするか否かをユーザに選択可能にするので、ユーザの要求をより反映したボックス設定情報配信システムを提供することができる。
【００７６】
（その他の実施例）
画像処理装置として複写機を例に挙げたが、本発明は複写機に限定されるものではなく、複数の記憶領域からなる記憶手段（所謂ボックス機能）を備えた各種の画像処理装置に適用することができる。
【００７７】
また、上記実施例はボックス設定情報を対象にした実施例であるが、ボックス設定情報をＥメールアドレス、ＵＲＬ、ＦＡＸ番号等の送信宛先情報に置き換えることにより、送信宛先情報にも本発明を適用可能であることは言うまでもない。
【００７８】
尚、本発明は、複数の機器から構成されるシステムに適用しても、１つの機器からなる装置に適用してもよい。上述した実施形の機能を実現するソフトウエアのプログラムコードを記憶した記憶媒体等の媒体をシステム或いは装置に供給し、そのシステム或いは装置のコンピュータ（またはＣＰＵやＭＰＵ）が記憶媒体等の媒体に格納されたプログラムコードを読み出し実行することによっても、本発明が達成されることは言うまでもない。
【００７９】
この場合、記憶媒体等の媒体から読み出されたプログラムコード自体が上述した実施形態の機能を実現することになり、そのプログラムコードを記憶した記憶媒体等の媒体は本発明を構成することになる。プログラムコードを供給するための記憶媒体等の媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ、或いはネットワークを介したダウンロードなどを用いることができる。
【００８０】
また、コンピュータが読み出したプログラムコードを実行することにより、上述した実施形態の機能が実現されるだけでなく、そのプログラムコードの指示に基づき、コンピュータ上で稼動しているＯＳなどが実際の処理の一部または全部を行い、その処理によって上述した実施形態の機能が実現される場合も、本発明に含まれることは言うまでもない。
【００８１】
更に、記憶媒体等の媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって上述した実施形の機能が実現される場合も、本発明に含まれることは言うまでもない。
【図面の簡単な説明】
【００８２】
【図１】実施例１乃至３における基本的なシステム構成を示す図である。
【図２】実施例１乃至３における複写機１００１、複写機１００２のシステムブロック図である。
【図３】実施例１乃至３における複写機１００１、複写機１００２のボックス設定情報の一例である。
【図４】実施例１におけるボックス設定情報配信処理を示すフローチャートである。
【図５】実施例１における配信元装置となる複写機１００１と、配信先装置となる複写機１００２の設定情報の配信処理実行前の状態の一例である。
【図６】実施例１における配信元装置となる複写機１００１と、配信先装置となる複写機１００２の設定情報の配信処理実行後の状態の一例である。
【図７】配信先装置において自身のボックス設定情報を更新する際の更新処理を示すフローチャートである。
【図８】実施例１における配信元装置となる複写機１００１と、配信先装置となる複写機１００２の設定情報の配信処理実行後の状態の一例である。
【図９】実施例２におけるボックス設定情報配信処理を示すフローチャートである。
【図１０】実施例２における配信元装置となる複写機１００１と、配信先装置となる複写機１００２の設定情報の配信処理実行後の状態の一例である。
【図１１】実施例３におけるボックス設定情報配信処理を示すフローチャートである。
【図１２】パスワード設定があるボックスがあった場合にユーザに通知するための表示例である。
【符号の説明】
【００８３】
１００１  複写機
１００２  複写機
１００３  ファクシミリ
１００４  データベース／メールサーバ
１００５  クライアントコンピュータ
１００６  プリンタ
１００７  ディレクトリサーバ
１００８  イーサネット（登録商標）
１００９  公衆回線
２０００  コントローラユニット
２００１  ＣＰＵ
２００２  ＲＡＭ
２００３  ＲＯＭ
２００４  ハードディスク
２００５  Ｉｍａｇｅ  Ｂｕｓ  Ｉ／Ｆ
２００６  操作部Ｉ／Ｆ
２００７  システムバス
２００８  画像バス
２０１０  Ｎｅｔｗｏｒｋ  Ｉ／Ｆ
２０１１  ＬＡＮ
２０１２  操作部
２０２０  デバイスＩ／Ｆ
２０３０  画像回転
２０４０  画像圧縮
２０５０  ＭＯＤＥＭ
２０５１  ＷＡＮ
２０６０  ＲＩＰ
２０７０  スキャナ
２０８０  スキャナ画像処理
２０９０  プリンタ画像処理
２０９５  プリンタ
２１００  ＩＣ  Ｃａｒｄ  Ｓｌｏｔ
２１１０  暗号・復号処理
【図１】
2006033470.tif 000003
【図２】
2006033470.tif 000004
【図３】
2006033470.tif 000005
【図４】
2006033470.tif 000006
【図５】
2006033470.tif 000007
【図６】
2006033470.tif 000008
【図７】
2006033470.tif 000009
【図８】
2006033470.tif 000010
【図９】
2006033470.tif 000011
【図１０】
2006033470.tif 000012
【図１１】
2006033470.tif 000013
【図１２】
2006033470.tif 000014